(57)【要約】【課題】ユーザに放送を効果的に視聴させることが可能な通信端末、及び認証サーバを提供する。【解決手段】通信端末６では、放送局２によって発信されるデジタル放送番組を視聴中の期間のみ、デジタル放送信号に含まれる放送局２のＮｅｔｗｒｏｋ＿ＩＤが放送情報保持部１２によって保持される。通信端末６がコンテンツ提供装置４へのアクセスを要求する場合、認証サーバ８によって上記のＮｅｔｗｏｒｋ＿ＩＤが要求される。このＮｅｔｗｏｒｋ＿ＩＤが通信端末６によって送信される場合にのみ、認証サーバ８は通信端末６のコンテンツ提供装置４へのアクセスを許可する。かかる構成によれば、コンテンツ提供装置４へのアクセスをインセンティブとして、放送局２のデジタル放送番組を視聴するように、通信端末６のユーザを効果的に導くことができる。【選択図】  図１
2004297190.tif 000002
【特許請求の範囲】
【請求項１】
デジタル放送信号を受信するデジタル放送受信手段と、
前記デジタル放送受信手段によって受信されるデジタル放送信号から放送に関する放送情報を抽出すると共に、該放送情報を該デジタル放送信号を受信中の期間において保持する放送情報保持手段と、
所定のネットワークアドレスへのアクセスを要求するためのアクセス要求情報を送信するアクセス要求情報送信手段と、
前記アクセス要求情報送信手段によってアクセス要求情報が送信される場合に、認証サーバから送信される放送情報の送信を要求するための放送情報送信要求情報に基づいて前記放送情報保持手段によって保持されている放送情報を該認証サーバに送信する放送情報送信手段と、
前記放送情報を送信することによって前記認証サーバによってアクセスが許可される前記所定のネットワークアドレスを有するコンテンツ提供装置へアクセスをコンテンツアクセス手段と
を備えることを特徴とする通信端末。
【請求項２】
デジタル放送信号を受信すると共に該デジタル放送信号に含まれる放送に関する放送情報を抽出し、該放送情報を該デジタル放送信号を受信中の期間において保持する通信端末から所定のネットワークアドレスへのアクセスを要求するためのアクセス要求情報が送信される場合に、該通信端末へ前記放送情報の送信を要求するための放送情報送信要求情報を送信する放送情報要求手段と、
前記放送情報送信要求情報に基づいて前記放送情報が前記通信端末から送信される場合に、該通信端末に前記所定のネットワークアドレスを有するコンテンツ提供装置へのアクセスを許可するアクセス認証手段と
を備える認証サーバ。
【請求項３】
通信端末のデジタル放送受信手段が、デジタル放送信号を受信するデジタル放送受信ステップと、
前記通信端末の放送情報保持手段が、前記デジタル放送受信手段によって受信されるデジタル放送信号から放送に関する放送情報を抽出すると共に、該放送情報を該デジタル放送信号を受信中の期間において保持する放送情報保持ステップと、
前記通信端末のアクセス要求情報送信手段が、所定のネットワークアドレスへのアクセスを要求するためのアクセス要求情報を送信するアクセス要求情報送信ステップと、
前記通信端末によって前記アクセス要求情報が送信される場合に、認証サーバの放送情報要求手段が、該通信端末へ前記放送情報の送信を要求するための放送情報送信要求情報を送信する放送情報要求ステップと、
前記認証サーバによってアクセス要求情報が送信される場合に、前記放送情報保持手段によって保持されている放送情報を該認証サーバに送信する放送情報送信ステップと、
前記通信端末によって前記放送情報が送信される場合に、前記認証サーバの前記アクセス認証手段が、該通信端末に前記所定のネットワークアドレスを有するコンテンツ提供装置へのアクセスを許可するアクセス認証ステップと、
前記通信端末のコンテンツアクセス手段が、前記認証サーバによってアクセスが許可される前記所定のネットワークアドレスを有するコンテンツ提供装置へアクセスを行うコンテンツアクセスステップと
を備えるコンテンツアクセス方法。
【発明の詳細な説明】
【０００１】
【発明の属する技術分野】
本発明は、通信端末、認証サーバ、及びコンテンツアクセス方法に関するものである。
【０００２】
【従来の技術】
放送局からのデジタル放送を受信可能な通信端末を用い、ユーザが視聴中の放送に告知されているネットワークアドレスへのアクセスを要求することによって、視聴中の放送に関連するコンテンツを有するコンテンツ提供装置にアクセスすることを可能とするシステムがある（例えば、特許文献１）。
【０００３】
【特許文献１】
特開２００２−２０９２０４号公報
【０００４】
【発明が解決しようとする課題】
しかしながら、上述のシステムでは、上記のネットワークアドレスを認識しているユーザは、放送を視聴中であるか否かにかかわらず、コンテンツ提供装置にアクセスすることが可能である。したがって、ユーザに放送を効果的に視聴させることができないという問題点がある。
【０００５】
本発明は上記問題点を解決するためになされたもので、ユーザに放送を効果的に視聴させることが可能な通信端末、認証サーバ、及びコンテンツアクセス方法を提供することを課題としている。
【０００６】
【課題を解決するための手段】
上記課題を解決するため本発明の通信端末は、デジタル放送信号を受信するデジタル放送受信手段と、上記デジタル放送受信手段によって受信されるデジタル放送信号から放送に関する放送情報を抽出すると共に、該放送情報を該デジタル放送信号を受信中の期間において保持する放送情報保持手段と、所定のネットワークアドレスへのアクセスを要求するためのアクセス要求情報を送信するアクセス要求情報送信手段と、上記アクセス要求情報送信手段によってアクセス要求情報が送信される場合に、認証サーバから送信される放送情報の送信を要求するための放送情報送信要求情報に基づいて上記放送情報保持手段によって保持されている放送情報を該認証サーバに送信する放送情報送信手段と、上記放送情報を送信することによって上記認証サーバによってアクセスが許可される上記所定のネットワークアドレスを有するコンテンツ提供装置へアクセスをコンテンツアクセス手段とを備えることを特徴としている。
【０００７】
また、本発明は別の面においては認証サーバに関するものであり、本発明の認証サーバは、デジタル放送信号を受信すると共に該デジタル放送信号に含まれる放送に関する放送情報を抽出し、該放送情報を該デジタル放送信号を受信中の期間において保持する通信端末から所定のネットワークアドレスへのアクセスを要求するためのアクセス要求情報が送信される場合に、該通信端末へ上記放送情報の送信を要求するための放送情報送信要求情報を送信する放送情報要求手段と、上記放送情報送信要求情報に基づいて上記放送情報が上記通信端末から送信される場合に、該通信端末に上記所定のネットワークアドレスを有するコンテンツ提供装置へのアクセスを許可するアクセス認証手段とを備えることを特徴としている。
【０００８】
また、上記課題を解決するため、本発明のコンテンツアクセス方法は、（ａ）通信端末のデジタル放送受信手段が、デジタル放送信号を受信するデジタル放送受信ステップと、（ｂ）上記通信端末の放送情報保持手段が、上記デジタル放送受信手段によって受信されるデジタル放送信号から放送に関する放送情報を抽出すると共に、該放送情報を該デジタル放送信号を受信中の期間において保持する放送情報保持ステップと、（ｃ）上記通信端末のアクセス要求情報送信手段が、所定のネットワークアドレスへのアクセスを要求するためのアクセス要求情報を送信するアクセス要求情報送信ステップと、（ｄ）上記通信端末によって上記アクセス要求情報が送信される場合に、認証サーバの放送情報要求手段が、該通信端末へ上記放送情報の送信を要求するための放送情報送信要求情報を送信する放送情報要求ステップと、（ｅ）上記認証サーバによってアクセス要求情報が送信される場合に、上記放送情報保持手段によって保持されている放送情報を該認証サーバに送信する放送情報送信ステップと、（ｆ）上記通信端末によって上記放送情報が送信される場合に、上記認証サーバの上記アクセス認証手段が、該通信端末に上記所定のネットワークアドレスを有するコンテンツ提供装置へのアクセスを許可するアクセス認証ステップと、（ｇ）上記通信端末のコンテンツアクセス手段が、上記認証サーバによってアクセスが許可される上記所定のネットワークアドレスを有するコンテンツ提供装置へアクセスを行うコンテンツアクセスステップとを備えることを特徴としている。
【０００９】
これらの発明によれば、デジタル放送信号を受信している期間においてのみ、デジタル放送信号から抽出される放送情報が保持されるので、認証サーバによってコンテンツ提供装置へのアクセスが許可されるのは通信端末によってデジタル放送信号が受信されている期間のみである。したがって、コンテンツ提供装置へのアクセスをインセンティブとして、通信端末のユーザがデジタル放送を視聴するように、効果的に導くことができる。
【００１０】
【発明の実施の形態】
本発明の実施形態にかかる通信システム１について添付の図面を参照して説明する。図１は、通信システム１の構成を示す図である。通信システム１は、複数の放送局２（図１では、一つの放送局を図示している。）と、コンテンツ提供装置４（図１では、一つのコンテンツ提供装置を図示している。）と、通信端末６と、認証サーバ８とを備える。
【００１１】
放送局２は、映像、音声といった情報をエンコードしたデジタル放送番組を提供するものであり、かかる番組のデジタル放送信号を発信する。上記の情報には、文字情報を含めることもできる。デジタル放送信号には、放送に付随する情報である放送情報が含まれる。放送情報には、ＳＩ／ＥＰＧ（Ｓｙｓｔｅｍ  Ｉｎｆｏｒｍａｔｉｏｎ  ／  Ｅｌｅｃｔｒｏｎｉｃ  Ｐｒｏｇｒａｍ  Ｇｕｉｄｅ）情報が含まれる。ＳＩ／ＥＰＧ情報には、放送局を特定する情報としては、例えば、Ｎｅｔｗｏｒｋ＿ＩＤが含まれる。
【００１２】
コンテンツ提供装置４は、コンテンツ提供装置４は、放送局２を放送する番組を視聴したユーザにコンテンツを提供する装置である。放送局２によって放送される番組に告知される、または、予め告知されたネットワークアドレスが与えられている。コンテンツ提供装置４は、物理的には、ＣＰＵ（中央処理装置）、メモリといった記憶装置、ハードディスクといった格納装置、通信装置等を備えるコンピュータシステムである。
【００１３】
通信端末６は、放送局２によって発信されるデジタル放送信号を受信することができる。また、通信端末６は、ネットワークを介して、コンテンツ提供装置４にアクセスすることができる。
【００１４】
通信端末６は、物理的には、ＣＰＵ（中央処理装置）、メモリといった記憶装置、ハードディスクといった格納装置、キーボードやプッシュボタンといった入力装置、ディスプレイといった表示装置、通信装置等を備える。通信端末６としては、携帯電話といった移動通信端末が例示される。通信端末６が採用する通信方式は、第２世代移動通信方式、ＩＭＴ−２０００といったいわゆる第３世代移動通信方式、無線ＬＡＮといった種々の通信方式が採用され得る。また、通信端末には、ＰＤＡ（Ｐｅｒｓｏｎａｌ  Ｄｉｇｉｔａｌ  Ａｓｓｉｓｔａｎｔｓ）といった携帯情報端末や、有線通信装置によってネットワークにアクセスするパーソナルコンピュータなど情報通信可能な種々の端末が適用され得る。
【００１５】
図１に示すように、通信端末６は、機能的には、デジタル放送受信部（デジタル放送受信手段）１０と、放送情報保持部（放送情報保持手段）１２と、アクセス要求部（アクセス要求情報送信手段）１４と、放送情報送信部（放送情報送信手段）１６と、コンテンツアクセス部（コンテンツアクセス手段）１８とを備える。
【００１６】
デジタル放送受信部１０は、放送局２に発信されるデジタル放送信号を受信する。デジタル放送受信部１０は、受信したデジタル放送信号をデコードして、通信端末６の表示装置に出力する。これによって、通信端末６のユーザは、放送局２によって放送されるデジタル放送番組を視聴することができる。通信端末６に表示されるデジタル放送番組には、コンテンツ提供装置４のネットワークアドレスが含まれており、通信端末６のユーザは、放送局２によって提供されるデジタル放送番組を視聴することによて、コンテンツ提供装置４へアクセスするためのネットワークアドレスを知ることができる。ネットワークアドレスは、例えば、コンテンツ提供装置４のＵＲＬ（Ｕｎｉｆｏｒｍ  Ｒｅｓｏｕｒｃｅ  Ｌｏｃａｔｏｒ）である。
【００１７】
放送情報保持部１２は、デジタル放送受信部１０によってデコードされたデジタル放送信号から放送情報を抽出する。放送情報保持部１２は、放送情報に含まれる放送局２のＮｅｔｏｗｏｒｋ＿ＩＤを抽出し、このＮｅｔｗｏｒｋ＿ＩＤを通信端末６によって放送局２のデジタル放送番組が視聴されている期間において保持する。
【００１８】
アクセス要求部１４は、通信端末６のユーザが、視聴中の番組に表示されている上記のネットワークアドレスのコンテンツ提供装置４にアクセスを試みようとする場合に、コンテンツ提供装置４へのアクセスを要求するためのアクセス要求情報を送信する。このアクセス要求情報には、ユーザによって入力される上記のネットワークアドレスが含まれる。
【００１９】
放送情報送信部１６は、アクセス要求部１４によって上記のアクセス要求情報が送信され、認証サーバ８によってＮｅｔｏｗｏｒｋ＿ＩＤの送信を要求するための放送情報送信要求情報が送信される場合に、放送情報保持部１２によって保持されている上記のＮｅｔｏｗｏｒｋ＿ＩＤを認証サーバ８に送信する。なお、放送情報保持部１２によってＮｅｔｏｗｏｒｋ＿ＩＤが保持されていない場合には、放送情報送信部１６は、Ｎｅｔｏｗｏｒｋ＿ＩＤを保持していない旨を示す情報を認証サーバ８に送信することができる。
【００２０】
コンテンツアクセス部１８は、放送情報送信部１６によって上記のＮｅｔｏｗｏｒｋ＿ＩＤが認証サーバ８に送信され、認証サーバ８によってコンテンツ提供装置４へのアクセスが許可される場合に、コンテンツ提供装置４にアクセスする機能をもつ部分である。
【００２１】
次に、認証サーバ８について説明する。認証サーバ８は、通信端末６によるコンテンツ提供装置４へのアクセスを認証するサーバである。認証サーバ８は、物理的には、ＣＰＵ（中央処理装置）、メモリといった記憶装置、ハードディスクといった格納装置、通信装置等を備えるコンピュータシステムである。
【００２２】
認証サーバ８は、機能的には、アクセス要求受信部２０と、放送情報要求部（放送情報要求手段）２２と、アクセス認証部（アクセス認証手段）２４と、放送局別接続先アドレスデータベース（以下、「放送局別接続先アドレスＤＢ」という）２６とを備える。
【００２３】
アクセス要求受信部２０は、通信端末６のアクセス要求部１４によって送信される上記のアクセス要求情報を受信する。
【００２４】
放送情報要求部２２は、アクセス要求受信部２０によってアクセス要求情報が受信される場合に、通信端末６に上記のＮｅｔｏｗｏｒｋ＿ＩＤの送信を要求するための放送情報送信要求情報を送信する。
【００２５】
アクセス認証部２４は、通信端末６のユーザが放送局２のデジタル放送番組を視聴しているか否かを判断する部分である。アクセス認証部２４は、放送情報要求部２２によって上記の放送情報送信要求情報が送信され、通信端末６によって上記のＮｅｔｏｗｏｒｋ＿ＩＤが送信される場合に、通信端末６によるコンテンツ提供装置４へのアクセスを許可する。アクセス認証部２４は、通信端末６にコンテンツ提供装置４へのアクセスを許可する場合、Ｎｅｔｏｗｏｒｋ＿ＩＤとコンテンツ提供装置４のネットワークアドレスとが対応付けて格納されている放送局別接続先アドレスＤＢ２６を参照することによって、コンテンツ提供装置４のネットワークアドレスを取得して、通信端末６とコンテンツ提供装置４との間のセッションを生成する。これによって、通信端末６は、コンテンツ提供装置４にアクセスすることが可能となる。
【００２６】
一方、アクセス認証部２４は、通信端末６によってＮｅｔｏｗｏｒｋ＿ＩＤを保持していない旨を示す情報が送信される場合には、通信端末６に接続否認通知を行う。
【００２７】
以下、本実施形態にかかる通信システム１の動作について説明する。併せて、本発明の実施形態にかかるコンテンツアクセス方法について説明する。図２は、このコンテンツアクセス方法のシーケンス図である。まず、放送局２によって発信されるデジタル放送信号が通信端末６のデジタル放送受信部１０によって受信される（ステップＳ０１）。このデジタル放送信号が、デジタル放送受信部１０によってエンコードされる（ステップＳ０２）。エンコードされるデジタル放送信号に含まれるＮｅｔｗｏｒｋ＿ＩＤが、放送情報保持部１２によって抽出され、通信端末６によってデジタル放送番組が受信されている期間、すなわち、デジタル放送受信部１０によってデジタル放送信号が受信されている期間、このＮｅｔｗｏｒｋ＿ＩＤは、放送情報保持部１２によって保持される（ステップＳ０３）。
【００２８】
通信端末６のユーザによって、視聴中のデジタル放送番組に含まれているコンテンツ提供装置４のネットワークアドレスへのアクセスが試みられる場合に、アクセス要求部１４によって、上述のアクセス要求情報が送信される（ステップＳ０４）。このアクセス要求情報は認証サーバ８のアクセス要求受信部２０によって受信される。アクセス要求受信部２０によってアクセス要求情報が受信されると、認証サーバ８の放送情報要求部２２によって通信端末６へ上記のＮｅｔｏｗｏｒｋ＿ＩＤの送信を要求する放送情報送信要求情報が送信される（ステップＳ０５）。
【００２９】
この放送情報送信要求情報が通信端末６へ送信されると、放送情報保持部１２に保持されている上記のＮｅｔｗｏｒｋ＿ＩＤが通信端末６の放送情報送信部１６によって認証サーバ８に送信される（ステップＳ０６）。
【００３０】
認証サーバ８のアクセス認証部２４は、通信端末６からＮｅｔｗｏｒｋ＿ＩＤが送信されたか否かを判断することによって、通信端末６のユーザが放送局２のデジタル放送番組を視聴中か否かを判断する（ステップＳ０７）。通信端末６からＮｅｔｗｏｒｋ＿ＩＤを保持していない旨の情報が送信される場合には、アクセス認証部２４は、通信端末６へコンテンツ提供装置４への接続否認通知を行う（ステップＳ０８）。通信端末６は接続否認通知を受けると、例えば、表示装置に「利用できません」といった表示を行うことにより、ユーザにアクセスが認証されなかった旨を知らせる。
【００３１】
一方、通信端末６によってＮｅｔｗｏｒｋ＿ＩＤが送信されることによって、通信端末６のユーザが放送局２のデジタル放送番組を視聴中であると判断される場合には、アクセス認証部２４は、放送局別接続先アドレスＤＢ２６を参照して、Ｎｅｔｗｏｒｋ＿ＩＤからコンテンツ提供装置４のネットワークアドレスを得る（ステップＳ０９）。
【００３２】
アクセス認証部２４は、このネットワークアドレスを用いてコンテンツ提供装置４と通信端末６のセッションを生成し（ステップＳ１０）、通信端末６がコンテンツ提供装置４にアクセスすることが可能となる（ステップＳ１１）。
【００３３】
以下、本実施形態にかかる通信システム１の作用及び効果を説明する。通信端末６では、ジタル放送信号を受信している期間、すなわち放送局２のデジタル放送番組を視聴している期間においてのみ、デジタル放送信号から抽出される放送局２のＮｅｔｗｏｒｋ＿ＩＤが保持される。通信端末６によって放送局２のＮｅｔｗｏｒｋ＿ＩＤが送信されなければ、認証サーバ８はコンテンツ提供装置４へのアクセスを許可しない。したがって、コンテンツ提供装置４へのアクセスをインセンティブとして、通信端末６のユーザが放送局２のデジタル放送を視聴するように、効果的に導くことができる。
【００３４】
デジタル放送信号から通信端末６によって抽出されるＮｅｔｗｏｒｋ＿ＩＤが認証サーバ８に自動的に送信され、このＮｅｔｗｏｒｋ＿ＩＤを用いて認証サーバ８によって認証が行われる。したがって、コンテンツ提供装置４にアクセスするために、通信端末６に与えられたＩＤやパスワードを認証サーバ８に通知するための入力作業が削減される。
【００３５】
なお、コンテンツ提供装置４によって提供されるコンテンツとしては、通信端末６によって使用できる画像や、メロディデータ等、通信端末６のユーザにとって付加価値の高いコンテンツが例示される。また、コンテンツ提供装置４は、デジタル放送番組の視聴者のみが参加できるチャットや電子掲示板等を提供してもよい。かかるコンテンツへのアクセスをインセンティブとして、通信端末６のユーザがデジタル放送番組を視聴するように、効果的に導くことができる。
【００３６】
【発明の効果】
本発明によれば、ユーザに放送を効果的に視聴させることが可能な通信端末、認証サーバ、及びコンテンツアクセス方法が提供される。
【図面の簡単な説明】
【図１】図１は、実施形態にかかる通信システムの構成を示す図である。
【図２】図２は、実施形態にかかるコンテンツアクセス方法のシーケンス図である。
【符号の説明】
１…通信システム、２…放送局、４…コンテンツ提供装置、６…通信端末、８…認証サーバ、１０…デジタル放送受信部、１２…放送情報保持部、１４…アクセス要求部、１６…放送情報送信部、１８…コンテンツアクセス部、２０…アクセス要求受信部、２２…放送情報要求部、２４…アクセス認証部、放送局別接続先アドレスＤＢ…２６。
【図１】
2004297190.tif 000003
【図２】
2004297190.tif 000004